(57)【要約】【課題】折り案内線が目立たず、見栄えの良い包装物を作成するための展開図を印刷可能な印刷装置を提供する。【解決手段】シート状記録媒体に折りの案内線を印刷する。その際、シートを折り畳んだ後に表に出る範囲を透明トナーもしくはシートの色と類似色となるトナーで印刷する。すなわち、破線は山折り、一点鎖線は谷折りする案内線として印刷する。山折りするための折り案内線は完成時に表に見えてしまうので、Ａ２，Ａ４，Ａ５の折り案内線を特殊色（透明・白など）や被印刷物であるシート・用紙の色に近い色で印刷を行う。【選択図】図２
2019119168.tif 000002
【特許請求の範囲】
【請求項１】
シートに折り案内線を印刷する印刷装置であって、
前記折り案内線を、透明記録剤もしくは前記シートの色と類似色となる記録剤で印刷することを特徴とする印刷装置。
【請求項２】
前記折り案内線のうち、少なくともシートを折り畳んだ後に表に出る範囲を前記透明記録剤もしくは前記シートの色と類似色となる記録剤で印刷することを特徴とする、請求項１に記載の印刷装置。
【請求項３】
前記シートの、折り畳んだときに表に現れる所定の範囲を単色印刷又は地紋印刷することを特徴とする、請求項１又は２に記載の印刷装置。
【請求項４】
前記単色印刷又は地紋印刷を行った後に、前記折り案内線を印刷することを特徴とする、請求項３に記載の印刷装置。
【請求項５】
前記シートの、折った後に表面にでる範囲に、折ったときに特定の折り案内線と同じ傾き角度になる角度で文字を印刷することを特徴とする、請求項１〜４のいずれか１項に記載の印刷装置。
【請求項６】
前記シートの色を検出する検出手段を備え、該検出手段で検出したシート色に応じて印刷色を決定することを特徴とする、請求項１〜５のいずれか１項に記載の印刷装置。
【請求項７】
前記シートの両面に印刷を行う両面印刷機能を備え、
前記折り案内線のうち、前記シートの表側から見て谷折りとなる折り案内線を、前記シートの裏側に印刷することを特徴とする、請求項１〜６のいずれか１項に記載の印刷装置。
【請求項８】
請求項１〜７のいずれか１項に記載の印刷装置で印刷されたことを特徴とするシート状印刷物。
【発明の詳細な説明】
【技術分野】
【０００１】
本発明は、折り案内線を印刷可能な印刷装置および印刷物に関する。
【背景技術】
【０００２】
紙などのシート状記録材・記録媒体に展開図を印刷可能な印刷装置・記録装置等の画像形成装置がある。例えば、特許文献１（特開２０１２−４０８５０号公報）には、包装紙の展開図を印刷可能な印刷装置が開示されている。
【０００３】
上記特許文献１に記載の印刷装置は、シート状の記録媒体である印刷用紙に折り線（折りの案内線）を印刷し、その折り案内線に沿って折る事で包装物（封筒など）を作成することができる、というものである。
【発明の概要】
【発明が解決しようとする課題】
【０００４】
しかしながら、上記特許文献１に記載の印刷装置を含め、従来の展開図を印刷可能な印刷装置・記録装置等の画像形成装置においては、折り案内線の印刷色と、シートの色の関係についての検討はされていないので、折り案内線が表にでてしまい、見栄えが悪くなるという問題がある。
【０００５】
本発明は、折り案内線が目立たず、見栄えの良い包装物（袋、封筒、熨斗袋など）を作成するための展開図を印刷可能な印刷装置を提供することを課題とする。
【課題を解決するための手段】
【０００６】
前記の課題を解決するため、本発明は、シートに折り案内線を印刷する印刷装置であって、前記折り案内線を、透明記録剤もしくは前記シートの色と類似色となる記録剤で印刷することを特徴とする。
【０００７】
また、前記の課題は本発明により、請求項１〜６のいずれか１項に記載の印刷装置で印刷されたことを特徴とするシート状印刷物により解決される。
【発明の効果】
【０００８】
本発明の印刷装置によれば、折りの案内線を透明トナーなどの透明な記録剤を用いて印刷を行う、あるいはシート・用紙の色を考慮してシート・用紙の色と類似色となる記録剤で印刷することで、折り案内線が目立たず、見栄えの良い包装物（袋、封筒、熨斗袋など）を作成することができる。
【０００９】
また、本発明によるシート状印刷物は、折り案内線が目立たず、見栄えの良い包装物等（袋、封筒、熨斗袋など）を容易に作成可能な展開図を備えた印刷物を低コストに得ることができる。
【図面の簡単な説明】
【００１０】
【図１】本発明の実施形態に係るカラープリンタの概略構成を示す図である。
【図２】図１の複写機により、紙などの記録媒体に折り線を印刷した展開図を示すものである。
【図３】図２の用紙を折り線に沿って折る過程（過程１）を説明する図である。
【図４】図２の用紙を折り線に沿って折る過程（過程２）を説明する図である。
【図５】色相環を示す模式図である。
【図６】彩度を示す模式図である。
【図７】明度を示す模式図である。
【図８】図２の用紙を折り線に沿って折る過程（過程３）を説明する図である。
【図９】図２の用紙を折り畳んで、熨斗袋にした状態について説明する図である。
【図１０】印刷物の別実施例を示す図である。
【図１１】印刷物の更に別の実施例を示す図である。
【図１２】印刷物の更に別の実施例を示す図である。
【図１３】印刷物の更に別の実施例を示す図である。
【発明を実施するための形態】
【００１１】
以下、本発明の実施形態を図面を参照して説明する。
図１は、本発明に係る印刷装置の一例である電子写真方式のカラー複写機（以下、単に「複写機」という）の概略構成を示す図である。なお、ここでは電子写真方式の印刷装置により実施形態を説明するが、本発明に係る印刷装置は電子写真方式に限定されるものではなく、インクジェット方式や熱転写方式等、他の任意の画像形成方式を採用可能なものである。したがって、印刷に使用する記録剤もトナーに限らず、インク等の液体やジェル状の記録剤など、任意の記録剤を使用可能である。また、記録剤は粉体、液体、ジェル状に限らず、それらを含有させたり塗布したりしたリボンやフィルム状のものなど、適宜な形態のものを採用可能である。
【００１２】
図１に示す複写機１０はプリンタ部１００、これを載せる給紙装置２００、プリンタ部１００の上に固定されたスキャナ３００などを備えている。また、このスキャナ３００の上に固定された原稿自動搬送装置４００なども備えている。
【００１３】
プリンタ部１００は、特殊色（Ｓ）、イエロー（Ｙ）、マゼンタ（Ｍ）、シアン（Ｃ）及び黒（Ｋ）の各色の画像を作像するための五つの作像ユニット１１（Ｓ，Ｙ，Ｍ，Ｃ，Ｋ）を並列に配置された画像形成ユニットを備えている。図に示す各符号の数字の後に付されたＳ、Ｙ、Ｍ、Ｃ及びＫという添字は、それぞれ、特殊色、イエロー、マゼンタ、シアン及び黒用の部材であることを示している（以下同様）。
【００１４】
特殊色または特色（Ｓ）は、オプション色であり、本実施形態の特殊色用作像ユニット１１Ｓは透明トナーを使用しているが、現像剤を交換することで、他の色のトナーを使用することができる。
【００１５】
プリンタ部１００には、作像ユニット１１（Ｓ，Ｙ，Ｍ，Ｃ，Ｋ）の他に、光書込ユニット１３、中間転写ユニット１２、二次転写装置１５、定着装置１６、レジストローラ対１７などが配設されている。プリンタ部１００の上部には、特殊色、イエロー、マゼンタ、シアン及び黒の各色トナーを収納した現像剤補給部６００が設けられている。
【００１６】
複写機１０本体の下部に設けられた給紙装置２００には、用紙（記録媒体）を収容する給紙カセット２１が複数設けられている。給紙カセット２１内の用紙は、給紙ローラ２２により給紙路２３に送出される。
【００１７】
作像ユニット１１（Ｓ，Ｙ，Ｍ，Ｃ，Ｋ）では、周知の電子写真プロセスにより感光体ドラム上にトナー像が形成される。そのトナー像は中間転写ユニット１２の転写ベルトに転写され、さらに、転写ベルト上のトナー像に同期するようにレジストローラ対１７によって送り出された用紙上に、二次転写装置１５の作用により転写される。トナー像転写後の用紙は定着装置１６を通り、画像が用紙上に固定される。そして、排紙ローラ１８により排紙部に排出される。
【００１８】
両面記録を行う場合は、片面の画像定着後の転写紙を反転部２４へ入れて裏表を反転し、搬送路１９を経て再び二次転写部１５へ搬送して裏面に画像転写を行う。その後、定着装置１６を通り、排紙部へ排紙される。
【００１９】
複写機１０の筺体内には、複写機１０内の各機器の制御を司るＣＰＵ等から構成される制御部が配設されている。また、筺体の上面には、液晶ディスプレイや各種キーボタン等などから構成される操作表示部５００が配設されている。操作者は、この操作表示部５００に対するキー入力操作により、制御部に対して命令を送ることで、用紙の片面だけに画像を形成するモードである片面プリントモードや、両面に画像を形成する両面プリントモードなどを指定することができる。
【００２０】
図２は、図１の複写機１０により、紙などのシート状記録媒体（以下、総称して「用紙」あるいは「シート」と記す）に折り線（折り案内線）を印刷した展開図を示すものである。ここでは、熨斗袋を作成する場合を例にとって説明するが、折りたたんで作成するものは熨斗袋に限らず、たとえば、封筒、折り紙、包装紙などであっても良い。
【００２１】
図２において、破線は山折り、一点鎖線は谷折りする案内線を示している。谷折りとは、折った時に谷間形状になる折りのことで、山折りとは、折った時に山型形状になる折りのことである。
【００２２】
また、Ａ２，Ａ４，Ａ５等の一点鎖線は用紙Ｐの裏面に印刷されている。そして、Ｂ２，Ｂ４，Ｂ５５等の破線は用紙Ｐの表面に印刷されている。また、Ｃ１，Ｃ２の点線は用紙Ｐの表面に印刷されている。
なお、図１では折りの説明のため破線と一点鎖線とで示しているが、実際の印刷は実線でよい。
【００２３】
図３は、図２の用紙を折り線に沿って折る過程（過程１）を説明する図である。
【００２４】
図３では、折り線Ａ１とＡ２を折った状態である。破線で示す折り線Ａ１は用紙Ｐの表面に印刷されており、山方向の折りとなる。一点鎖線で示す折り線Ａ２は用紙Ｐの裏面に印刷されており、谷方向の折りになる。ただし、折り線Ａ２は用紙Ｐの裏側から見ると山折りとなる。
実際に折る際には、折り線Ａ２のような谷になる線をガイドにして折ることは難しい。なぜなら、折ることによって線が隠れてゆくためである。従って、折り線Ａ２のような谷方向の折り線は、用紙裏面に印刷して山折りする方が折り易い。
【００２５】
図２の一点鎖線を用紙Ｐの裏面側に印刷することで、用紙Ｐの表面から見たときに谷折りとなる折り線が全て山折りする側（用紙Ｐの裏面から見たときに山折りとなる側）に印刷されていることになる。
【００２６】
折り線を目立たなくするために、折り線を谷側に印刷すると、折る際に見えづらくなるので、折り線を山側に印刷した方が（山折りする折り線として印刷したほうが）、紙を折る際の負担が低減する。
【００２７】
しかしながら、山折りするための折り線は完成時に表に見えてしまうので、そのままでは見栄えが悪くなると言う課題がある。この課題を解決する方策については後述するが、用紙Ｐを折る過程について説明を続ける。
【００２８】
図４は、図２の用紙を折り線に沿って折る過程（過程２）を説明する図である。
図４では、図１のＡＡ群（Ａ１〜Ａ５）の折り線を折った状態である。Ａ２，Ａ４，Ａ５の折り線は図４に示すように山側（表側）に現れている（用紙Ｐを折ったことで、用紙表側に回り込んで、表側から見えるようになる）。谷側に折り線を印刷した場合、折りにくいため山側に（ここでは用紙Ｐの裏面に）折り線を印刷したが、Ａ２，Ａ４，Ａ５の折り線はＡ群を折り畳んだ時に視認できることになる。
【００２９】
熨斗袋としては折り線がはっきりわかってしまうと見た目が良くない。そこで、本実施形態では、Ａ２，Ａ４，Ａ５の折り線を特殊色（透明・白など）や被印刷物であるシート・用紙の色に近い色で印刷を行う。これにより、用紙に印刷すると間近でみると折り線として認識できるが、完成物（ここでは熨斗袋）となった状態ではほとんど目視では確認できない。従って、熨斗袋としてのデザインを損なうことがない。
Ａ１，Ａ３の折り線は図４の［Ｆ］で示される部分の内側に隠れるため、特殊色の折り線でなくてもかまわない。
【００３０】
このように、折り案内線が表にみえると見栄えが悪くなって印刷物としての完成度が低下する場合、本発明では、透明トナーなどの特色トナーや、被印刷物であるシート・用紙の色に近い色（折り線・折り案内線が目立たない色）で印刷を行う。
【００３１】
実際の印刷を行う場合、印刷色は、ユーザが操作表示部５００から特色トナーや目立たない色を指定して入力することも可能だし、センサを設けてシート・用紙の色や彩度・明度等を検知し、最適な印刷色を自動的に判断して印刷を行うことも可能である。
【００３２】
なお、「折り線・折り案内線が目立たない色」とは、シート・用紙と同じ色や、色相環でとなりあう色や、同じ色でも彩度や明度の近い色のことを言う。「同じ色」というのは、ＲＧＢが同一だけではなく、幅のあるものを含むものとする。たとえば、黒い紙に印刷を行う場合は、ブラックを用いることで、折り案内線を目立たなくすることができる。また、色相環で隣り合う色に加え、同じ色でも彩度や明度の近い色も、類似した色として含むものとする。
【００３３】
本発明では、これらの類似した色・近似した色を総称して「類似色」と呼び、折り線・折り案内線を透明トナー等の透明記録剤もしくはシート・用紙の「類似色」で印刷することで、折り線・折り案内線が目立たず、見栄えの良い包装物（袋、封筒、熨斗袋など）を作成するための展開図を印刷するという課題を解決する。
【００３４】
ここで色の三属性について説明する。色の三属性とは、色相・明度・彩度の３つの事を言う。色相を円上に配置したものを色相環といい、図５に、色相環を模式図で示す。グレースケールのため色を表すことができないが、色相環上方の丸が「黄色：Ｙ」、下方の丸が「ヴァイオレット：Ｖ」、右方の丸が「ブルーグリーン：ＢＧ」、左方の丸が「赤：Ｒ」である。円の中心を挟んで向かい合う色が補色となり、隣り合う色が類似色となる。
【００３５】
彩度とは色の鮮やかさをいい、それぞれの色相でもっとも彩度が高い色を原色・純色と呼ぶ。ある鮮やかな色の彩度をどんどん低くしていくと、色みを感じない色に変化していき、最後には無彩色になる。図６は、彩度を示す模式図である。グレースケールのため色を表すことができないが、右へ行くほど彩度が高く（鮮やかに）なり、左へ行くほど彩度が低くなる。同じ色でも、彩度が高い色ほど鮮やかに見え、低い色ほどグレーに近くなる。彩度がゼロの場合、色味がないので無彩色（黒や白、グレー）になる。
【００３６】
明度とは、「明るさ」を表す要素である。色相や彩度が同じであっても、明度が低いほど黒っぽく、高いほど白く明るい色になる。図７に明度を示す。グレースケールのため色を表すことができないが、右へ行くほど明度が高くなり、左へ行くほど明度が低くなる。
【００３７】
図８は、図２の用紙を折り線に沿って折る過程（過程３）を説明する図である。
図８では、図４の状態から、さらに図１のＢ群（Ｂ１〜Ｂ６）の折り線に従って折った状態である。図４と同様にＢ２，Ｂ４，Ｂ５，Ｂ６の折り線が折り畳んだ時に視認できるため、間近でないと認識できない特殊色で印刷するのが望ましい。Ｂ１，Ｂ３の折り線は内側に隠れるため、特殊色の折り線でなくてもかまわない。
【００３８】
図９は、図２の用紙Ｐを折り畳んで、熨斗袋にした状態について説明する図である。
図９では、図４の状態から、さらにＣ１とＣ２の折り線で折り畳み、熨斗袋として折り上がった状態を示している。Ｃ１とＣ２の折り線は折り畳んだ時に視認できるため、間近でないと認識できない特殊色で印刷するのが望ましい。
【００３９】
図１０は、図２の用紙とは異なる折り線を印刷した、印刷物の別実施例を示す図である。図１０の用紙Ｑは、図２の用紙Ｐとは、折り線Ａ４の印刷の仕方が異なる。
【００４０】
図１０（ａ）は熨斗袋として出来上がった状態を示し、図１０（ｂ）はＡ群の折り線までを折った状態を示している。両図を見比べると折り線Ａ４のうち熨斗袋の表面に表れる範囲はＡ４−２であり、Ａ４−１とＡ４−３の範囲は熨斗袋の表面には表れないことがわかる。
【００４１】
特殊色と比べるとやはり黒で印刷した方が折りやすいため、Ａ４−１とＡ４−３の範囲は黒色で印刷しても構わない。ただし、表面に表れる範囲のＡ４−２は特殊色での印刷が好ましい。他の折り線においても折り上がった時に表に出る範囲を特殊色で印刷し、その他の範囲を黒色で印刷しても良い。
【００４２】
展開図にすると一本の折り目になる折り線・折り案内線でも、折った際に内側に隠れる部分は通常の色（例えば黒）で印刷を行い、表側に出る部分は特色や被印刷物であるシート・用紙の色に近い色で印刷を行なう。これにより、特色トナーの使用量を削減できるほか、作成者が完成像を意識しながら折りたたみを進めることができると言う効果がある。
【００４３】
また、特色や被印刷物であるシート・用紙の色に近い色で印刷を行うことで、経時に関わらず目視が可能であるので、折り直しも容易であるという利点がある。消色装置などの大掛かりな装置も不要であるので、簡単に美しい熨斗袋を得る事ができると言う利点がある。
【００４４】
図１１は、印刷物の更に別の実施例を示す図である。
図１１の印刷物Ｒは、折り線と折り線の間の特定の範囲に塗りつぶし又は地紋印刷を行った例である。図１１（ａ）は展開図、図１１（ｂ）は熨斗袋として出来上がった状態を示している。
【００４５】
図１１（ａ）に示すように、特定の範囲（ここでは２つの範囲）に塗りつぶし又は地紋印刷を行うことで、図１１（ｂ）に示す全体を折り畳んだ状態で、符号２，３のように熨斗袋の意匠面に塗りつぶし色や、地紋を出すことができる。
【００４６】
この時、地紋２の印刷範囲を折り線Ｂ２から少しはみ出すように印刷すると、Ｂ２の折り線に対してずれた折り方をしてしまっても地紋２の切れ目が表面には表れない。
【００４７】
折り線Ｂ２は表面に表れる山折り線なので特殊色で印刷する必要があるが、地紋（又は塗りつぶし）２の後で特殊色の折り線を印刷するのが良い。折り線を先に印刷すると見えにくくなってしまう可能性があるので、折り線は塗りつぶし又は地紋印刷の後からの印刷が好ましい。
【００４８】
図１２は、印刷物の更に別の実施例を示す図である。
図１２の印刷物Ｔは、意匠面に文字を印刷した例である。図１２（ａ）は展開図、図１２（ｂ）は熨斗袋として出来上がった状態を示している。
【００４９】
図１２（ａ）に示すように、符号４で示すお祝いタイトル文字と署名欄に符号５で示す名前を印刷することで、図１２（ｂ）に示す折り畳んだ状態でお祝いタイトル文字４と名前・署名５が意匠面に表れる。
【００５０】
お祝いタイトル文字４は折り線Ｂ３に平行な傾き、署名５は折り線Ｂ６に平行な傾きで文字印刷を行うことによって、図１２（ｂ）に示すように、折り畳んだ時に正しい傾きとなる。
【００５１】
図１３は、印刷物の更に別の実施例を示す図である。
図１３の印刷物Ｕは、図２の印刷物Ｐ及び図１２の印刷物Ｔとは異なる折り線を印刷しており、折り方が異なる例である。図１３（ａ）は展開図、図１３（ｂ）は熨斗袋として出来上がった状態を示している。
【００５２】
図１３（ｂ）の完成図に示すように、図２の印刷物Ｐ及び図１２の印刷物Ｔを折った熨斗袋と比べて、符号６，７で示す部分の峰の部分の数が異なっている。すなわち、図１３（ｂ）の熨斗袋の方が、折り峰の数が多くなっている。なお、折り峰の数を減らすことも可能である。
【００５３】
上記のように、必要に応じて折り線を特色・特殊色で印刷したり、地紋や文字などを印刷したり、折り峰の数を増減させたりすることで、熨斗袋としてのデザイン性を高めることができ、印刷物としての完成度を高めることができる。
【００５４】
印刷物の実施例としては熨斗袋で説明したが、印刷物は熨斗袋に限らず、たとえば、封筒、折り紙、包装紙などであっても、本発明の印刷装置を用いた印刷を行うことで、折り易さと、折りあがって完成した状態での高いデザイン性・完成度とを両立することが可能である。
【００５５】
ここまで説明したように、本発明の印刷装置によれば、折りの案内線を透明トナーなどの透明な記録剤を用いて印刷を行う、あるいはシート・用紙の色を考慮してシート・用紙の色と類似色となる記録剤で印刷することで、折り案内線が目立たず、見栄えの良い包装物（袋、封筒、熨斗袋など）を作成するための展開図を印刷することができる。
【００５６】
また、折り案内線のうち、少なくともシートを折り畳んだ後に表に出る範囲を透明記録剤もしくはシート・用紙の色と類似色となる記録剤で印刷することで、折り易さをできるだけ維持するとともに見栄えの良い包装物を作成することが可能となる。
【００５７】
また、シート・用紙の、折り畳んだときに表に現れる所定の範囲を単色印刷又は地紋印刷することで、デザイン性に優れた包装物を容易に作成することができる。
【００５８】
また、単色印刷又は地紋印刷を行った後に、折り案内線を印刷することで、折り案内線が見えにくくならず、折り易さを維持することができる。
また、シート・用紙の、折った後に表面にでる範囲に、折ったときに特定の折り案内線と同じ傾き角度になる角度で文字を印刷することで、お祝いタイトル文字や署名などを適切かつ容易に印刷することができ、高品位な包装物を容易に作成することができる。
【００５９】
また、シートの色を検出する検出手段を備え、該検出手段で検出したシート色に応じて印刷色を決定することにより、目立たない折り案内線を自動的に印刷することができる。
【００６０】
また、両面印刷機能を備えて、シートの表側から見て谷折りとなる折り案内線をシートの裏側に印刷することで、その折り案内線をシートの裏側から山折りすることができるようになり、包装物を作成する際の作業性を向上させることができる。
【００６１】
そして、本発明によるシート状印刷物は、折り案内線が目立たず、見栄えの良い包装物等（袋、封筒、熨斗袋など）を容易に作成可能な展開図を備えた印刷物を低コストに得ることができる。
【００６２】
以上、本発明を図示例により説明したが、本発明はこれに限定されるものではない。画像形成方式は任意な方式を採用可能であり、記録剤も本発明を実施できれば任意な記録剤を使用することができる。記録剤の形態も適宜な形態のもので良い。色数も任意である。印刷装置としては複写機に限らず、プリンタやファクシミリ、あるいは複数の機能を備える複合機であっても良い。
【００６３】
また、本発明の印刷装置により印刷する印刷物は、袋、封筒、熨斗袋などの包装物に限らず、折り紙や飾り物など、適宜な印刷物であって良い。
【符号の説明】
【００６４】
２          地紋
３          塗りつぶし
４          お祝いタイトル文字
５          署名
１０        複写機（印刷装置）
１１        作像ユニット
１００      プリンタ部
２００      給紙装置
３００      スキャナ
４００      原稿自動搬送装置
５００      操作表示部
６００      現像剤補給部
Ａ１〜Ａ５  折り線（折り案内線）
Ｂ１〜Ｂ５  折り線（折り案内線）
Ｃ１，Ｃ２  折り線（折り案内線）
Ｐ，Ｑ，Ｒ，Ｔ，Ｕ  印刷物
【先行技術文献】
【特許文献】
【００６５】
【特許文献１】特開２０１２−４０８５０号公報
【図１】
2019119168.tif 000003
【図２】
2019119168.tif 000004
【図３】
2019119168.tif 000005
【図４】
2019119168.tif 000006
【図５】
2019119168.tif 000007
【図６】
2019119168.tif 000008
【図７】
2019119168.tif 000009
【図８】
2019119168.tif 000010
【図９】
2019119168.tif 000011
【図１０】
2019119168.tif 000012
【図１１】
2019119168.tif 000013
【図１２】
2019119168.tif 000014
【図１３】
2019119168.tif 000015